(57)【特許請求の範囲】
【請求項１】
ダボスリーブ（１）と、
前記ダボスリーブ（１）と別個の少なくとも１つの固定爪（２）と、
前記少なくとも１つの固定爪（２）と前記ダボスリーブ（１）とを半径方向に拡開させるための、該ダボスリーブ（１）内で軸方向に運動可能な拡開要素（３）と
を備えた、家具の金具部材を固定するためのダボにおいて、
前記ダボスリーブ（１）が、前記固定爪（２）に設けられた保持区分（２ａ）を側方でガイドするガイド（９）を有しており、該ガイド（９）内に挿入された前記固定爪（２）を前記ダボスリーブ（１）に保持する係止手段（１２，１３）が設けられていることを特徴とする、ダボ。
【請求項２】
前記拡開要素（３）は、ねじ（４）と係合して該ダボスリーブ（１）内で軸方向に運動可能であることを特徴とする、請求項１記載のダボ。
【請求項３】
前記係止手段（１２，１３）は、前記ガイド（９）内に挿入された前記固定爪（２）を、遊びを伴って前記ダボスリーブ（１）に保持することを特徴とする、請求項１又は２記載のダボ。
【請求項４】
少なくとも２つの互いに別個の固定爪（２）が設けられていることを特徴とする、請求項１から３までのいずれか１項記載のダボ。
【請求項５】
対を成して互いに向かい合って位置する４つの固定爪（２）が設けられていることを特徴とする、請求項４記載のダボ。
【請求項６】
前記ダボスリーブが、各固定爪（２）に対して、固有の別個のガイドと、固有の別個の係止手段（１２，１３）とを有していることを特徴とする、請求項４又は５記載のダボ。
【請求項７】
前記係止手段（１２，１３）が、前記ダボスリーブ（１）から内向きに突出した係止ピン（１２）と、前記固定爪（２）の前記保持区分（２ａ）に設けられた対応する係止開口（１３）とを有しており、前記ダボスリーブ（１）内への前記固定爪（２）の挿入時に、前記係止ピン（１２）が前記係止開口（１３）内に係合することを特徴とする、請求項１から６までのいずれか１項記載のダボ。
【請求項８】
前記ダボスリーブ（１）内への前記固定爪（２）の挿入時に、前記係止ピン（１２）が、遊びを伴って前記係止開口（１３）内に係合することを特徴とする、請求項７記載のダボ。
【請求項９】
１つの前記ガイド（９）が、１つの固定爪（２）の保持区分（２ａ）の、互いに反対の側に位置する２つの縁区分をそれぞれ実質的にＣ字形に取り囲んでいる、かつ／または側方で接触していることを特徴とする、請求項１から８までのいずれか１項記載のダボ。
【請求項１０】
前記ガイド（９）が、前記ダボスリーブ（１）の内部に配置されていることを特徴とする、請求項１から９までのいずれか１項記載のダボ。
【請求項１１】
前記ガイド（９）が、前記ダボスリーブ（１）の上面（１）の領域において前記ダボスリーブ（１）の内部に配置されていることを特徴とする、請求項１０記載のダボ。
【請求項１２】
前記ダボスリーブ（１）が、上面（１ａ）の領域に、連続したリング部分（１１）を有しており、該リング部分（１１）から、保持突出部（５）を備えた複数の保持タブ（７）が、前記ダボの長手方向に延在しており、前記保持タブ（７）同士の間にそれぞれ１つの隙間（６）が形成されていることを特徴とする、請求項１から１１までのいずれか１項記載のダボ。
【請求項１３】
前記保持タブ（７）が外側に保持突出部（５）を備えることを特徴とする、請求項１２記載のダボ。
【請求項１４】
前記ガイド（９）が、前記リング部分（１１）の内面に、形成されていることを特徴とする、請求項１０から１３までのいずれか１項記載のダボ。
【請求項１５】
前記ガイド（９）が、突出部（１０）の形態で形成されていることを特徴とする、請求項１４記載のダボ。
【請求項１６】
前記ダボスリーブ（１）がプラスチックから成っていることを特徴とする、請求項１から１５までのいずれか１項記載のダボ。
【請求項１７】
前記ダボスリーブ（１）が一体形に形成されていることを特徴とする、請求項１６記載のダボ。
【請求項１８】
前記固定爪（２）が、鎌状に曲げられて外向きにシャープエッジ状に突出したそれぞれ１つのカッティング区分（２ｂ）を有していることを特徴とする、請求項１から１７までのいずれか１項記載のダボ。
【請求項１９】
前記固定爪（２）が、前記保持区分（２ａ）にそれぞれ１つの、係止開口（１３）を有していることを特徴とする、請求項１から１８までのいずれか１項記載のダボ。
【請求項２０】
係止開口（１３）が方形であることを特徴とする、請求項１９記載のダボ。
【請求項２１】
前記固定爪（２）が金属から成っていることを特徴とする、請求項１から２０までのいずれか１項記載のダボ。
【請求項２２】
前記固定爪（２）が、それぞれ、一体的に形成されていることを特徴とする、請求項２１記載のダボ。
【請求項２３】
前記拡開要素（３）が、少なくとも１つの固定爪（２）に結合可能であることを特徴とする、請求項１から２２までのいずれか１項記載のダボ。
【請求項２４】
前記拡開要素（３）が、全ての固定爪（２）に結合可能であることを特徴とする、請求項２３記載のダボ。
【請求項２５】
前記拡開要素（３）が円錐面（３ａ）を有しており、該円錐面（３ａ）が、前記固定爪（２）に内部で接触し、該固定爪（２）が、前記円錐面（３ａ）を介して半径方向に拡開可能であることを特徴とする、請求項２３又は２４記載のダボ。
【請求項２６】
前記拡開要素（３）と前記固定爪（２）との間に係止結合部（１４，１３）が設けられていることを特徴とする、請求項２３から２５までのいずれか１項記載のダボ。
【請求項２７】
前記係止結合部が、前記拡開要素（３）に、半径方向に突出した複数の係止突出部（１４）を有しており、該係止突出部（１４）が、それぞれ前記固定爪（２）の前記保持区分（２ａ）に設けられた係止開口（１３）内に係合することを特徴とする、請求項２６記載のダボ。
【請求項２８】
各固定爪（２）に対して、前記ダボスリーブ（１）の１つの係止ピン（１２）と前記拡開要素（３）の１つの係止突出部（１４）とが、前記固定爪（２）において、該固定爪（２）の前記保持区分（２ａ）に設けられた同一の係止開口（１３）内に係止されることを特徴とする、請求項７、８または２７記載のダボ。
【請求項２９】
前記拡開要素（３）が金属から成っていることを特徴とする、請求項１から２８までのいずれか１項記載のダボ。
【請求項３０】
前記拡開要素（３）が一体的に形成されていることを特徴とする、請求項２９記載のダボ。
【請求項３１】
前記ダボスリーブ（１）の前記上面（１ａ）を越えて、前記ダボの長手方向軸線に対して回転対称でない収容部または開口内に係合するために形成された少なくとも１つの回動防止ピン（８）が突出していることを特徴とする、請求項１から３０までのいずれか１項記載のダボ。
【請求項３２】
前記ダボが、外側寸法において実質的に円筒形に形成されていることを特徴とする、請求項１から３１までのいずれか１項記載のダボ。
【請求項３３】
拡開させられていない前記ダボが、８ｍｍ〜１５ｍｍの直径を有していることを特徴とする、請求項１から３２までのいずれか１項記載のダボ。
【請求項３４】
拡開させられていない前記ダボが、１０ｍｍの直径を有していることを特徴とする、請求項３３記載のダボ。
【請求項３５】
拡開させられていない前記ダボが、挿入方向で測定して、５ｍｍ〜８ｍｍの長さを有していることを特徴とする、請求項１から３４までのいずれか１項記載のダボ。
【請求項３６】
拡開させられていない前記ダボが、挿入方向で測定して、６ｍｍの長さを有していることを特徴とする、請求項３５記載のダボ。
【請求項３７】
前記ダボの長さが直径よりも短いことを特徴とする、請求項１から３６までのいずれか１項記載のダボ。
【請求項３８】
前記ダボの長さが直径の７０％よりも短いことを特徴とする、請求項３７記載のダボ。
【請求項３９】
前記固定爪（２）が、前記ダボスリーブ（１）に内部に接触していることを特徴とする、請求項１から３８までのいずれか１項記載のダボ。
【請求項４０】
前記固定爪（２）が、少なくとも前記ダボスリーブ（１）の全長にわたって延在していることを特徴とする、請求項３９記載のダボ。
【請求項４１】
請求項１から４０までのいずれか１項記載の、予め組み付けられた少なくとも１つのダボを備えた、家具用、ドア、フラップまたは引出し用の金具部材。
【請求項４２】
請求項１から４０までのいずれか１項記載の、予め組み付けられた少なくとも１つのダボを備えた、ドア、フラップまたは引出し用の金具部材。
【請求項４３】
前記拡開要素内のねじ山に係合し、前記拡開要素を前記金具部材に向かって引っ張る少なくとも１つのねじを有していることを特徴とする、請求項４１または４２記載の金具部材。
【請求項４４】
金具が、回転対称でない少なくとも１つの開口を有しており、該開口を通って前記ねじが延在しており、前記開口内に、前記ねじのほかに、少なくとも１つの回動防止ピンが係合していることを特徴とする、請求項４３記載の金具部材および請求項３１記載の少なくとも１つのダボ。
【請求項４５】
請求項４１から４３までのいずれか１項記載の少なくとも１つの金具部材を備えた家具。
【請求項４６】
請求項４１から４３までのいずれか１項記載の少なくとも１つの金具部材を備えたキッチンキャビネット。
【請求項４７】
ダボスリーブ（１）と、
前記ダボスリーブ（１）と別個の少なくとも１つの固定爪（２）と、
前記少なくとも１つの固定爪（２）と前記ダボスリーブ（１）とを半径方向に拡開させるための、該ダボスリーブ（１）内で軸方向に運動可能な拡開要素（３）と
を備えた請求項１から４０までのいずれか１項記載のダボを組み立てるための方法において、
前記少なくとも１つの固定爪（２）を前記ダボスリーブ（１）内に挿入するステップと、
前記少なくとも１つの固定爪（２）を前記ダボスリーブ（１）に係止するステップと、
前記拡開要素（３）を、前記少なくとも１つの固定爪（２）を備えた前記ダボスリーブ（１）内に挿入するステップと、
前記拡開要素（３）を少なくとも１つの固定爪（２）に係止するステップと
を有していることを特徴とする、方法。
【請求項４８】
２つまたはそれ以上の固定爪（２）を備えたダボを組み立てるための請求項４７記載の方法において、前記固定爪（２）を時間的に連続して前記ダボスリーブ（１）内に挿入して、係止することを特徴とする、請求項４７記載の方法。
【発明の詳細な説明】
【技術分野】
【０００１】
本発明は、ダボスリーブと、このダボスリーブと別個の少なくとも１つの固定爪と、この少なくとも１つの固定爪とダボスリーブとを半径方向に拡開させるための、このダボスリーブ内で軸方向に運動可能な拡開要素とを備えた、家具の金具部材を固定するためのダボに関する。さらに、本発明は、このようなダボを備えた、家具用の金具部材と、このような金具部材を具備した家具とに関する。最後、本発明は、ダボを組み立てるための方法にも関する。
【０００２】
ダボは、家具産業において知られていて、予め穿設された収容部内に挿入され、この収容部内で、金具部材に支持されたテンション要素による拡開によって拡開させられ、ひいては、家具部分内に固持される。これによって、最終的に家具部分への金具部材の固い結合が達成される。テンション要素は、任意に形成されたねじ頭部、例えば十字穴付きねじ頭部、六角穴付きねじ頭部、六角星形穴付きねじ頭部またはこれに類するものを備えたねじであることが多い。このねじをねじり始めることによって、ダボの拡開要素が締め付けられ、ダボが孔内で半径方向に拡開させられる。
【０００３】
本発明の課題は、冒頭に記載したカテゴリのダボを改良して、ダボが、種々異なる材料内に良好に保持され、小さな寸法、特に（挿入方向で測定して）短い長さの点で優れていて、ひいては、肉薄の家具材料でも使用可能であるようにすることである。
【０００４】
本発明によれば、このことは、請求項１の特徴によって達成される。同じ目的のために、請求項２４の特徴を有する、家具用の金具部材もしくは請求項２８の特徴を有する家具が用いられる。
【０００５】
前述した特性を有するダボは、有利には、請求項３０に記載の方法によって組み立てることができる。
【０００６】
本発明に係るダボでは、固定爪を、最良には、ダボの、金具部材と反対の下側からダボスリーブの内部に挿入することができる。この場合、ガイドが、挿入される固定爪の側方のセンタリングを行う。その後、係止手段を介した簡単な結合が、固定爪をスナップ嵌めすることができ、好ましくは締付け時ののちの運動のための遊びを伴って、ダボスリーブに簡単に結合することができる。特にダボスリーブの内面に設けられた突出部の形態の簡単なガイドと、簡単な係止手段、特にダボスリーブの内部から突出していて、固定爪の保持区分に設けられた対応する係止開口内に係止される係止ピンとによって、少ない構成部材でダボのコンパクトな構造形態を簡単に達成することができる。
【０００７】
特に好適な実施の形態では、少なくとも２つ、好ましくは対を成して互いに向かい合って位置する４つの固定爪が設けられている。この場合、ダボスリーブが、各固定爪に対して、固有の別個のガイドと、固有の別個の係止手段とを有していると有利である。したがって、個々の固定爪が実質的に独立していて、互いに別個にダボスリーブに結合可能となる。４つの固定爪によって、ダボスリーブの全周にわたる固定爪の周方向での良好な分配を達成することができる。
【０００８】
本発明の変化形態は、請求項１３の特徴によって特徴づけられている。
【０００９】
この変化形態では、拡開要素が間接的にのみ、つまり、自体ダボスリーブに係止されている固定爪を介して、ダボスリーブに固定されている。この変化形態では、固定爪が二重機能を果たしている。１つには、固定爪は、ダボスリーブに係止されていて、可動に支持されていて、拡開時に孔の材料内に自体係合することができるかまたはダボスリーブを半径方向外向きに押圧することができ、これによって、固定爪がその突出部またはリブでもって孔の材料内に保持される。もう１つには、固定爪は、同時に拡開要素に対する保持体としても働く。拡開要素自体は、ダボの一部ではないテンション要素、例えばねじを介してまたは偏心体を介したテンション機構を介して運動可能である。この構造形態によって、少ない構成部材で、寸法に関してコンパクトで廉価なダボを製造することができる。このダボは、特に家具の肉薄のボードもしくは材料内への挿入にも適している。このボードは５ｍｍ〜８ｍｍよりもやや厚い厚さ、好ましくは６ｍｍよりもやや厚い厚さを有してさえいればよい。なぜならば、本発明に係るダボによって、拡開させられていないダボが、挿入方向に測定して、５ｍｍ〜８ｍｍ、好ましくは約６ｍｍの全長を有する寸法を達成することができるからである。本発明による構成によって、（やはり孔内への挿入方向で測定して）直径よりも短い、好ましくは直径の７０％よりさえ短い長さのダボを実現することができる。
【００１０】
本発明は、また、このようなダボを具備した、家具用の金具部材にも関する。ダボは、テンション装置、例えばねじを含めて金具部材に予め組み付けることができる。これによって、部材がばらけてしまうことが回避される。このことは、特に本発明に係るダボが極めて小さな寸法、いずれにせよ、１ｃｍを十分に下回る範囲内の寸法を有しているので有利である。たいてい、金具部材は、２つまたはそれ以上のダボを有することになる。これらのダボは、予め設定された穿設穴パターンに従った適正な間隔を置いて予め作製された孔内に嵌合する。これによって、もはや金具部材を家具部分、例えばドア、フラップもしくは引出しまたは家具キャビネットに当て付け、ダボを孔内に押圧し、その後、テンション手段の締付けによって拡開しさえすればよい。これによって、金具部材が家具部分に固く保持される。
【００１１】
テンション要素としてねじを使用する際にダボが連れ回らないようにするために、好適な実施の形態によれば、金具が、回転対称でない少なくとも１つの切欠きを有しており、この切欠きを通ってテンション要素が延在しており、切欠き内に、テンション要素のほかに、少なくとも１つの回動防止ピンが係合していることを提案することができる。
【００１２】
本発明は、また、請求項３０および好適には請求項３１に記載の、ダボを組み立てるための方法にも関する。
【００１３】
説明した方法では、プラスチックから成る、好ましくは一体形のダボスリーブ内に、複数の固定爪を時間的に連続して挿入し、係止することができる。これらの固定爪は、好ましくは金属から成っている。
【００１４】
次いで、その後、ダボスリーブと固定爪とから成るコンビネーション内に拡開要素を挿入することができる。この拡開要素もやはり固定爪に係止される。これによって、全体として、説明した構成部材ほど多くの構成部材が必要なくなる。つまり、４つの固定爪の場合、全部で６つの構成部材、すなわち、ダボスリーブ、４つの固定爪および拡開要素で十分となる。更なる別個の軸または結合要素は不要である。
【００１５】
本発明の更なる詳細を以下の図面の説明に基づき詳しく説明する。
【図面の簡単な説明】
【００１６】
【図１】ねじの形態の好適なテンション要素を含む本発明に係るダボの実施例の分解図である。
【図２ｂ】ただ１つの固定爪が挿入された第１の組立てステップにおける、回動防止部を備えた本発明に係るダボの実施例の平面図である。
【図２ａ】図２ｂのＡ−Ａ線による相応の断面図である。
【図３ａ】図２ａと同じタイプの図示であるものの、固定爪を反時計回りでの旋回によって、ダボスリーブに設けられた係止手段に被せるステップがさらに進められている。さらに、すでに完全にスナップ嵌めされた３つの別の固定爪が示してある。
【図３ｂ】図２ｂと同じタイプの図示であるものの、固定爪を反時計回りでの旋回によって、ダボスリーブに設けられた係止手段に被せるステップがさらに進められている。さらに、すでに完全にスナップ嵌めされた３つの別の固定爪が示してある。
【図４ａ】本図によれば、左側の固定爪が引き続き被せられている。
【図４ｂ】本図によれば、左側の固定爪が引き続き被せられている。
【図５ａ】本図によれば、左側の固定爪が完全に被せられていて、ひいては、４つの全ての固定爪がダボスリーブ内にスナップ嵌めされている。
【図５ｂ】本図によれば、左側の固定爪が完全に被せられていて、ひいては、４つの全ての固定爪がダボスリーブ内にスナップ嵌めされている。
【図６ａ】すでに４つの固定爪を具備したダボスリーブ内に拡開要素を挿入するステップの断面図である。
【図６ｂ】すでに４つの固定爪を具備したダボスリーブ内に拡開要素を挿入するステップの平面図である。
【図６ｃ】すでに４つの固定爪を具備したダボスリーブ内に拡開要素を挿入するステップの側面図である。
【図７】前述した実施例による完成したダボの斜視図である。
【図８ａ】家具部分の孔もしくはボード内に挿入された図７に示したダボの断面図であり、この場合、ダボはまだ拡開させられていない。
【図８ｂ】家具部分の孔もしくはボード内に挿入された図７に示したダボの平面図であり、この場合、ダボはまだ拡開させられていない。
【図９ａ】回動防止部なしの実施例における、すでに４つの固定爪を備えたダボスリーブ内に拡開要素を挿入するステップの断面図である。
【図９ｂ】回動防止部なしの実施例における、すでに４つの固定爪を備えたダボスリーブ内に拡開要素を挿入するステップの平面図である。
【図９ｃ】回動防止部なしの実施例における、すでに４つの固定爪を備えたダボスリーブ内に拡開要素を挿入するステップの側面図である。
【図１０ａ】のちの時点での挿入工程を示す図であり、右側では、拡開要素がすでに右側の固定爪内に係止されており、左側では、固定爪内へのこの係止が丁度実施されている。
【図１０ｂ】のちの時点での挿入工程を示す図であり、右側では、拡開要素がすでに右側の固定爪内に係止されており、左側では、固定爪内へのこの係止が丁度実施されている。
【図１０ｃ】のちの時点での挿入工程を示す図であり、右側では、拡開要素がすでに右側の固定爪内に係止されており、左側では、固定爪内へのこの係止が丁度実施されている。
【図１１ａ】家具部分の孔もしくはボード内に挿入された、回動防止部なしの（まだ拡開させられていない状態における）ダボの断面図である。
【図１１ｂ】家具部分の孔もしくはボード内に挿入された、回動防止部なしの（まだ拡開させられていない状態における）ダボの平面図である。
【図１２ａ】硬質の材料、例えば石材または硬木の存在時の拡開させられた状態における同様の図である。
【図１２ｂ】硬質の材料、例えば石材または硬木の存在時の拡開させられた状態における同様の図である。
【図１３ａ】軟質の材料、例えば軟木またはパーティクルボードにおける、より広幅の拡開を伴った相応の図である。
【図１３ｂ】軟質の材料、例えば軟木またはパーティクルボードにおける、より広幅の拡開を伴った相応の図である。
【図１４ａ】最大限に拡開させられたダボを備えた軽量建築ボードにおける相応の図である。
【図１４ｂ】最大限に拡開させられたダボを備えた軽量建築ボードにおける相応の図である。
【図１５】異なる形態で形成されたガイドを備えたダボの別の実施例の概略的な分解図である。
【図１６】予め組み付けられた２つのダボを備えたヒンジの形態の金具部材の斜視図である。
【図１７】予め組み付けられた２つのダボを備えたヒンジのベースプレートの斜視図である。
【図１８】予め組み付けられた２つのダボを備えた引出しの前壁ホルダを示す図である。
【図１９】予め組み付けられた２つのダボを備えた、前板を安定させるための装置を示す図である。
【図２０ａ】回動防止部を備えた２つのダボが下側に設けられたヒンジの接続プレートの断面図である。
【図２０ｂ】回動防止部を備えた２つのダボが下側に設けられたヒンジの接続プレートの平面図である。
【図２１ａ】ねじとして形成されたテンション手段を含む、予め組み付けられているものの、拡開させられていない状態におけるただ１つのダボを備えたヒンジの接続プレートの同じく断面図である。
【図２１ｂ】ねじとして形成されたテンション手段を含む、予め組み付けられているものの、拡開させられていない状態におけるただ１つのダボを備えたヒンジの接続プレートの同じく平面図である。
【図２２ａ】ダボが拡開させられている状態における図２１ａと同様の図である。
【図２２ｂ】ダボが拡開させられている状態における図２１ｂと同様の図である。
【００１７】
図１に示したダボは６つの部材、つまり、ダボスリーブ１と、４つの固定爪２と、拡開要素３とから成っている。図１には、さらに付加的にねじ４が示してある。このねじ４は拡開要素３の雌ねじ山に係合し、ひいては、テンション要素として、この拡開要素３を上方に引っ張り、ひいては、ダボを拡開させる。これについては、あとで一層詳細に説明する。
【００１８】
ダボスリーブ１は、好ましくはプラスチック、特に射出成形構成部材から成っている。これによって、より複雑な形状部、例えばあとで記載する係止手段ガイドおよび回動防止部を一体形に形成することができる。
【００１９】
さらに、プラスチックは比較的軟質の材料特性に基づき、外側の保持突出部５が、硬質の材料から成る孔内に密接している場合に、この孔内での良好な保持を提供する。
【００２０】
固定爪２は金属から形成されている。４つの固定爪２を全て同形に形成することによって、在庫管理が最小限に抑えられ、製造が容易になる。金属によって、特にシャープエッジ状に突出したカッティング区分２ｂを形成することが可能となる。このカッティング区分２ｂは、ダボの拡開時に軟質の材料内に特に良好に押し込むことができ、そこで、確実な保持を保証する。
【００２１】
拡開要素３もまた、好ましくは金属から成っていて、同じく一体形に形成されている。拡開要素３は円錐形もしくはコーン状の面３ａを有している。この面３ａは、テンション要素４（ねじ）による拡開要素の軸方向での締付け時に固定爪２の内部に接触し、この固定爪２を半径方向外向きに押圧する。その後、固定爪２が引き続き外向きに押圧されると、この固定爪２が、ダボスリーブ１の、隙間６により分離された保持タブ７を半径方向外向きに連行する。これによって、ダボスリーブ１も全体的に拡開させられる。
【００２２】
図１に示したダボスリーブ１は、上面１ａを越えて突出した２つのピン８の形態の回動防止部を有している。両ピン８について、以下に詳しく説明する。
【００２３】
ダボスリーブ１は、内部に各固定爪２用のそれぞれ１つのガイド９を有している。このガイド９は、内方に向けられた突出部１０によって形成される。この突出部１０は、アンダカットされた区分を規定しており、この区分に固定爪２の保持区分２ａを挿入することができる。ダボスリーブ１のアンダカットされた領域では、ガイド９が、固定爪２の保持区分２ａをそれぞれダボスリーブ１の上側の領域でのみＣ字形に取り囲んでいる。そこに、ダボスリーブ１は、連続したリング部分１１を有している。つまり、図１に示した実施例では、挿入された固定爪２が、上方ではリング部分の高さにおいて、内部ではガイド９内において、それぞれ側方でダボスリーブ１内に保持されている。
【００２４】
この場合、ダボスリーブ１からの固定爪２の落下を防止する保持は係止手段によって行われる。この係止手段は、ダボスリーブ１内で内向きに突出した複数の係止ピン１２を有している（数にして４つ）。これらの係止ピン１２は、それぞれ固定爪２の保持区分２ａに設けられた対応する係止開口１３内に係合する。
【００２５】
拡開要素３が下方から挿入される場合、この拡開要素３も同じく４つの固定爪２に係止結合部を介して係止される。この係止結合部は、拡開要素３において半径方向に突出した複数の係止突出部１４を予め備えている。これらの係止突出部１４は、それぞれ固定爪２の係止開口１３内に係合する。これによって、全体として各固定爪２において２つの構成部分が係合する、つまり、かたや、外部からダボスリーブ１の係止ピン１２が係合し、かたや、内部から拡開要素３の係止突出部１４が係合する。この場合、拡開要素３が挿入されていると、固定爪２はもはや内向きに旋回することができず、ひいては、もはや係止ピン１２から解除されないようになっている。しかしながら、ダボスリーブ１に対する固定爪２のある程度の可動性は、１つには、側方のガイド９内での遊びによって、もう１つには、係止手段結合部（係止開口１３内の係止ピン１２）における遊びによって与えられている。拡開要素３の、遊びを伴って挿入された係止突出部１４もまた、固定爪２に対する拡開要素３の相対的な可動性を許容する。
【００２６】
図２ａおよび図２ｂには、本発明の実施例によるダボを組み立てるための最初のステップが示してある。このステップでは、４つの固定爪２のうちの１つの固定爪が挿入されているものの、まだ係止されてはいない。図２ａに示したように、固定爪２は僅かに傾けられて下方から導入され、その後、次いで、図３ａおよび図３ｂ、図４ａおよび図４ｂならびに図５ａおよび図５ｂに示したように、反時計回りに旋回させられる。これによって、保持区分の上側の領域が、上方でダボスリーブ１のリング部分１１の領域において、僅かにアンダカットされたガイド９内に押し込まれ、ダボスリーブ側の係止ピン１２が、固定爪２の係止開口１３内に押し込まれる。
【００２７】
全部で４つの固定爪２のうちの残りの３つの固定爪は、図２ａおよび図２ｂ、図３ａおよび図３ｂ、図４ａおよび図４ｂならびに図５ａおよび図５ｂにおいて左側の固定爪２に基づき示したように、好適には時間的に連続して導入され、係止される。図３ａ、図３ｂ、図４ａ、図４ｂおよび図５ａ、図５ｂには、残りの３つの固定爪２が、すでに完全に組み付けられた状態で示してある。しかしながら、すでに述べたように、爪の固定は、好ましくは連続して個々のステップで行われる。
【００２８】
次いで、図６ａ〜図６ｃに示したように、拡開要素３が、すでに４つの固定爪２を備えたダボスリーブ１内に矢印方向１５で下方から押し込まれる。次いで、拡開要素３の係止突出部１４が固定爪２の係止開口１３内に係止される。この場合には、まず、固定爪２が互いに押し拡げられ、その後、係止突出部１４が係止開口１３に達した場合に再び元に戻る。
【００２９】
最後、図７に示したダボが完成する。このダボは、少ない構成部材およびコンパクトな構造形態の点で優れている。ダボの外側寸法は実質的に円筒形である。図７において拡開させられていないダボは、有利には８ｍｍ〜１５ｍｍの直径、好ましくは約１０ｍｍの直径を有している。
【００３０】
挿入方向で測定した長さは、好ましくは５ｍｍ〜８ｍｍ、特に好適には約６ｍｍである。これによって、ほんの僅かな孔の深さしか許容しない極めて肉薄のボードもしくは家具部分にもダボを挿入することができる。それにもかかわらず、一方では、互いに拡開させられたダボスリーブ１と、他方では、固定爪２のカッティングエッジとを介した二重の保持によって、それぞれ異なる構成および硬さの材料内での優れた保持が提供されている。固定爪２は、ダボスリーブ１に内部で接触していて、好ましくは少なくともダボスリーブ１の全長にわたって延在している。
【００３１】
図８ａおよび図８ｂには、回動防止部を備えたダボの実施例が示してある。このダボは、ボードもしくは家具部分１７の孔１６内に挿入されている（拡開させられていない状態）。上方への拡開要素３の締付けによって、固定爪２とダボスリーブ１とが半径方向外向きに押圧される。これについては、あとで図１１ａ以下に基づきさらに詳しく説明する。
【００３２】
しかしながら、まず、回動防止部なしの実施例に基づき、すでに内部に４つの固定爪２が挿入されたダボスリーブ１内への拡開要素３の挿入について改めて示す。矢印１５の方向への拡開要素３の押上げによって、まず、固定爪２が側方に互いに押し拡げられる。このことは、図９ａにおける左側の固定爪２に基づき示してある。次いで、この固定爪２が元に戻り、係止突出部１４が固定爪２の保持区分２ａの係止開口１３内に係止される。このことは、図１０ａ、図１０ｂおよび図１０ｃに示してある。
【００３３】
図１１では、回動防止部なしのダボが、ボードもしくは家具部分１７の孔１６内に挿入されている。破線によって、金具部材、例えばヒンジの保持プレートが図示してあり、符号１８を有している。ねじ４の形態のテンション要素が、頭部でもって金具部材１８に接触していて、下方では、拡開要素３内のねじ山に進入している。ねじ４の締付けによって、拡開要素３が矢印方向に引き上げられ、この場合にまず、４つの固定爪２を半径方向外向きに押圧する。次いで、これらの固定爪２が、プラスチックから成る弾性的なダボスリーブ１をも一緒に外向きに連行する。これによって、ダボが孔１６の内部で拡開させられ、固定される。このことは、図１２ａ、図１２ｂに示してある。そこでは、ボード１７もしくは相応の家具部分の比較的硬質の材料、例えばプラスチックブロックまたは硬木が採用されている。保持は、ここでは、主として、孔１６の内面に緊締した状態で保持される軟質のダボスリーブ１を介して達成される。
【００３４】
ちなみに、図１２ａ、図１３ａおよび図１４ａには、簡素化の理由から、ねじ４を、金具部材１８も含めてもはや示していない。当然ながら、拡開要素３を上方に引っ張るための要素は存在している。
【００３５】
図１３ａおよび図１３ｂには、ボードもしくは家具部分の材料がより軟質であり、例えばパーティクルボードまたは軟木である場合に存在する状況が示してある。この場合には、少なくとも１つの側で固定爪２のカッティング区分２ｂが材料内に押し込まれ、ダボを確実に保持している。
【００３６】
図１４ａおよび図１４ｂには、軽量建築ボードの場合の状況が示してある。ここでは、ダボが最大限に拡開させられている。つまり、拡開要素３が最も上方に引っ張られている。固定爪２自体およびダボスリーブ１の下側の端部は、軽量建築ボードの内部の自由な空間内に位置している。軽量建築ボードは、互いに間隔を置いて配置された不動で肉薄の２つのボード区分１７ａ，１７ｂを有している。保持作用は、拡開要素３が上方に引っ張られて不動となった場合に、ダボの一番上側のリング部分１１も拡開させられることによって達成される。この作用は、上側のボード１７ａ内での保持を達成するために十分である。
【００３７】
図１５に示した実施例は、同じく回動防止部なしのダボである。ここでは、突出部１０により形成された側方のガイド９が、前述したダボよりも幾分簡単に形成されている。
【００３８】
図１６には、金具部材に対する一例として、ヒンジが示してある。このヒンジの固定プレート１９は、本発明に係る２つのダボを備えている。両ダボは、ねじ４を介してすでに予め組み付けられている。これによって、比較的小さなダボを紛失してしまうことがなくなり、予め形成された孔１６内に位置固定された状態に挿入することができる。
【００３９】
同じことが、以下の実施例にも当てはまる。図１７には、ヒンジ用のベースプレートが示してあり、図１８には、前壁ホルダが示してあり、図１９には、前板安定装置が示してある。これらには、それぞれ本発明の実施例による２つのダボが予め組み付けられている。図２０ａ、図２０ｂ、図２１ａ、図２１ｂならびに図２２ａおよび図２２ｂには、種々異なるバージョンのダボが、ヒンジの接続プレート２０を固定するためのそれぞれ異なる位置で示してある。図２０ａ、図２０ｂには、回動防止部８を備えたダボが、まだ緊締されていない状態で示してある。図２１ａ、図２１ｂには、回動防止部なしのバージョンが、同じく緊締されていない状態ではあるものの、すでにねじ４が挿入された状態で示してある。
【００４０】
図２１ｂには、ヒンジの固定プレート２０の上側の開口において、この開口が回転対称に形成されていないことが認められる。湾曲部２１ａ内には、図２０ｂに示したように、回動防止部８を係合させることができ、ひいては、ねじ４の締付け時にダボが連れ回ってしまうことを阻止することができる。
【００４１】
図２２ａ、図２２ｂには、図２１ａ、図２１ｂと実質的に同一の図面が認められるものの、ねじ４が締め付けられていて、ひいては、ダボが拡開させられている。これによって、このダボがボード１７の孔１６内に不動に保持されている。
【図１】
0006903163.tif 000002
【図２ａ】
0006903163.tif 000003
【図２ｂ】
0006903163.tif 000004
【図３ａ】
0006903163.tif 000005
【図３ｂ】
0006903163.tif 000006
【図４ａ】
0006903163.tif 000007
【図４ｂ】
0006903163.tif 000008
【図５ａ】
0006903163.tif 000009
【図５ｂ】
0006903163.tif 000010
【図６ａ】
0006903163.tif 000011
【図６ｂ】
0006903163.tif 000012
【図６ｃ】
0006903163.tif 000013
【図７】
0006903163.tif 000014
【図８ａ】
0006903163.tif 000015
【図８ｂ】
0006903163.tif 000016
【図９ａ】
0006903163.tif 000017
【図９ｂ】
0006903163.tif 000018
【図９ｃ】
0006903163.tif 000019
【図１０ａ】
0006903163.tif 000020
【図１０ｂ】
0006903163.tif 000021
【図１０ｃ】
0006903163.tif 000022
【図１１ａ】
0006903163.tif 000023
【図１１ｂ】
0006903163.tif 000024
【図１２ａ】
0006903163.tif 000025
【図１２ｂ】
0006903163.tif 000026
【図１３ａ】
0006903163.tif 000027
【図１３ｂ】
0006903163.tif 000028
【図１４ａ】
0006903163.tif 000029
【図１４ｂ】
0006903163.tif 000030
【図１５】
0006903163.tif 000031
【図１６】
0006903163.tif 000032
【図１７】
0006903163.tif 000033
【図１８】
0006903163.tif 000034
【図１９】
0006903163.tif 000035
【図２０ａ】
0006903163.tif 000036
【図２０ｂ】
0006903163.tif 000037
【図２１ａ】
0006903163.tif 000038
【図２１ｂ】
0006903163.tif 000039
【図２２ａ】
0006903163.tif 000040
【図２２ｂ】
0006903163.tif 000041